(57)【要約】【課題】  足指屈筋力の測定に際し、検査者によるバラつきを少なく、再現性をよくすること、検査者に要求される技量が最小限ですみ、被験者の負担が少ないものとする。【解決手段】  上面が水平方向に対して傾斜している台部（２）は足指より後方の足の部分を載せる足載せ部（３）と、その前方において足指が当たる位置において足指による押圧力の測定手段を含む測定部（４）とを有し、また、測定手段の測定値を表示する表示部（５）を備え、足載せ部（３）には測定時に足を載せた状態で足指基底部と踵との部分を足載せ部に保持固定するための固定手段を備えている。【選択図】  図１
2007044495.tif 000002
【特許請求の範囲】
【請求項１】
少なくとも足指より後方の部分を載せる水平面に対して傾斜した面をなす足載せ部を有する台部上に載せた足を足保持部材により保持固定することと、
前記足載せ部に足を載せ足指基底部と踵との部分を前記足載せ部に当接させて足保持部材により足が前記足載せ部に保持固定された状態で足指が当たる位置に配設された足指の押圧力の測定手段により足指の押圧力を測定しその測定値を表示することと、
からなることを特徴とする足指屈筋力を測定する方法。
【請求項２】
前記足載せ部の傾斜した面の水平面に対する角度を２０〜４０°の範囲で調節し、足載せ台の高さを調節して測定するようにしたことを特徴とする請求項１に記載の足指屈筋力を測定する方法。
【請求項３】
足を前記台部上に載せる際に、前記台部上に配設された突条部に足指基部が当接し足指付け根が該突条部の上側に載るようにして足の位置合わせを行い、前記足保持部材により足指に余分な負荷が加わらない程度の締付け力で足を保持固定するようにしたことを特徴とする請求項１または２のいずれか１項に記載の足指屈筋力を測定する方法。
【請求項４】
少なくとも足指より後方の足の部分を載せる足載せ部と足指が当たる位置において足指の押圧力の測定手段を含む測定部とを有する台部と、前記測定手段による測定値を表示する表示手段とを備え、前記台部の足載せ部の上面が水平面に対して傾斜しており、前記足載せ部は測定時に足を載せ足指基部と踵との部分を前記足載せ部に当接させた状態で足を前記足載せ部に保持固定するための足保持部材を備えていることを特徴とする足指屈筋力の測定装置。
【請求項５】
前記測定部において足指の当たる面が前記足載せ部の上面と同一平面上にあることを特徴とする請求項４に記載の足指屈筋力の測定装置。
【請求項６】
前記測定部における足指の当たる面の高さを調節可能にしたことを特徴とする請求項４に記載の足指屈筋力の測定装置。
【請求項７】
前記足載せ部が水平面に対して２０〜４０度の範囲内の角度で傾斜していることを特徴とする請求項４〜６のいずれか１項に記載の足指屈筋力の測定装置。
【請求項８】
前記足載せ部の傾斜角度を２０〜４０度の範囲で調節可能にしたことを特徴とする請求項７に記載の足指屈筋力の測定装置。  
【請求項９】
少なくとも足指より後方の足の部分を載せる足載せ部と足指が当たる位置において足指の押圧力の測定手段を含む測定部とを有する台部と、前記測定手段による測定値を表示する表示手段とを備え、前記台部の足載せ部の上面が水平面に対して傾斜しており、前記足載せ部は測定時に足を載せ足指基部と踵との部分を前記足載せ部に当接させた状態で足を前記足載せ部に保持固定するためのベルト状の足保持部材を備え、前記足載せ部の前方の位置において、足を載せた時に足指付け根の下側となる位置に突条部を設けたことを特徴とする足指屈筋力の測定装置。
【請求項１０】
前記測定部の測定手段が圧電型の押圧力測定手段であることを特徴とする請求項９に記載の足指屈筋力の測定装置。
【請求項１１】
前記測定部の測定手段が圧電型の押圧力測定手段であり、前記表示手段がケーブルを介して前記圧電型の押圧力測定手段に接続されていることを特徴とする請求項９に記載の足指屈筋力の測定装置。
【請求項１２】
前記測定部の測定手段がばねを用いた機械式の測定手段であることを特徴とする請求項９に記載の足指屈筋力の測定装置。
【発明の詳細な説明】
【技術分野】
【０００１】
本発明は、足指屈筋力の測定する方法及びそのための装置に関する。
【背景技術】
【０００２】
歩行は日常生活において不可欠の運動能力であるが、歩行動作や立位姿勢の保持は下肢によってなされる。歩行、立位姿勢を安定させるには、感覚器の機能とともに下肢の筋力が重要であり、これらの機能は幼少期から成年期に発達し、老齢期には衰退してゆくものであるが、歩行、立位姿勢の安定性が損なわれれば、日常生活に支障を来し、介護を必要とすることになる。
【０００３】
介護の必要性の確認、介護予防の面から、歩行、立位姿勢保持の能力を測定、検査することが必要になる。このように歩行、立位姿勢保持の能力を客観的に、定量的に測定、検査するには、下肢の筋力、バランス能力等について総合的に測定することが求められるが、そのためには、多くの測定装置、検査者の技量、時間を要することになる。
【０００４】
そこで、歩行、立位姿勢保持の能力の確認をより簡易で、かつ効果的な手法により行うことが求められている。最近ではそのために、足指の筋力を測定することが有効であることについて検討されている。
【０００５】
非特許文献１では、解剖学的に近傍に位置する足指骨間筋に着目し、足指の挟力を測定し、歩行、立位姿勢保持の能力を予測することを示しており、これは、足の母指と第２指との間には適当な距離があって、その間の挟力が測定し易く、歩行、立位姿勢保持能力に関連した指標として利用できることに基づいている。一方で、足底部方向への筋力については、膝屈曲力が作用しがちなため、用いていない。特許文献１も、同様に足の母指と第２指との間の挟力を測定することを開示している。
【０００６】
しかしながら、足の母指と第２指との間の挟力は、歩行、立位姿勢保持能力との関連性をある程度有するとは言え、歩行、立位姿勢保持の時に用いられる足底部方向への筋力の作用に直接対応するものではなく、また、母指と第２指との間隔やその挟力は、歩行の動作習慣とは別な形での個々人による差異があるので、歩行、立位姿勢の保持の能力を示す指標としては的確なものではない。
【０００７】
また、非特許文献２、特許文献２では、手の握力を測定するのと同様に足指の把持力を測定することを開示している。しかしながら、これらの場合、足底面の面内に作用する足指の把持力を測定しており、このような形態の測定による足指の筋力も、歩行、立位姿勢保持の能力を一応関連するものではあるが、歩行、立位姿勢保持の際の筋力の作用とは必ずしも対応しない状態での筋力を測定するものとなっており、この能力を的確に示すものとしては十分でなく、足指を大きく曲げることのできない被検者には適応し難いという難点があった。
歩行、立位姿勢保持における足指の筋力の関わりという面から、足指の作用について考える。
【０００８】
（１）ヒールイン・トゥアウト
整形学的・理学療法的、リハビリテーションにおいて、人の歩行加重ステップは現象的に「ヒールイン・トゥアウト原則」と呼ばれている。踵骨（ヒール）から始まる足底への加重は、最終的につま先（トゥ）に集中し、重心が反対足に移ると同時に残存している加重を前方へ押し出す。この時主要な役割を担うのが足指屈筋力であり、この力は歩行方向の直線上に最後に蹴り出す力として作用している。
【０００９】
（２）床面の把持
歩行や立位では、全体重が足底と床面にかかるため、安定した把持力を確保する必要がある。この把持力は踵とつま先の屈筋力によって確保されており、ちょうど手で母指を用いずに物体を保持することが可能なのと類似する。
【００１０】
（３）転倒に対する抗力
歩行、立位姿勢を保持し、予期しない重心の偏倚に対して転倒を防止するために、横方向への重心の偏倚に対しては瞬間的なステップ等によりバランスをとることになり、前方への重心の偏倚に対しては、これに加えて、軸足側の足指屈筋力を作用させることになる。すなわち、足指屈筋力が強ければ、前方への不意な重心移動に対応し、転倒に陥ることが少なくなると言える。
【００１１】
このようなことから、歩行、立位姿勢保持の能力を的確に把握するには、足底方向（足底面に垂直な方向）への足指の屈筋力を測定するのが望ましいのであるが、この足指の屈筋力を測定することには解決すべき問題点が存在することから、これまでに足底方向への足指の屈筋力を適正に測定する方法、そのための装置は実現されていなかった。
【非特許文献１】「計測自動制御学会論文集」Ｖｏｌ．３８，Ｎｏ．１１，ｐｐ．９５２−９５７，２００２
【非特許文献２】「理学療法科学」１７（４），ｐｐ．２４３−２４７，２００２
【特許文献１】特開２００３−１７５０２１号公報
【特許文献２】特開２００２−３６０５５０号公報
【発明の開示】
【発明が解決しようとする課題】
【００１２】
従来の技術において、足指の屈筋力を測定するに際して次のような課題があった。
（１）足指の屈筋力の測定のために、測定台に足を載せ、測定部に足指の力を加えることになるが、測定の際に足指に体重が加わり、純粋に足指の屈筋力を測定することが困難であった。
（２）足指の屈曲域は正常で６０度程度である。一方、歩行に直接影響する屈曲角度は−１５〜２０度程度であり、この角度内で足指の屈筋力を測定することが必要とされる。
【００１３】
また、足指の屈筋力の測定を簡易に行い、歩行、立位姿勢の保持能力を把握するのに有効なものとするには、次のような課題がある。
（３）一般的に徒手筋力測定法では、検査者によるデータのバラつきがあり、正確で再現性のある検査がなされないことが多い。足指屈筋力の測定に際し、検査者によるバラつきを少なく、再現性をよくすること、検査者に要求される技量が最小限ですみ、被験者の負担が少ないものとすることが望まれる。
【課題を解決するための手段】
【００１４】
本発明は、前述の課題を解決すべくなしたものであり、本発明による第１の発明では、少なくとも足指より後方の部分を載せる水平面に対して傾斜した面をなす足載せ部を有する台部上に載せた足を固定手段により保持固定することと、前記足載せ部に足を載せ足指基底部と踵との部分を前記足載せ部に当接させて足保持部材により足が前記足載せ部に保持固定された状態で足指が当たる位置に配設された足指の押圧力の測定手段により足指の押圧力を測定しその測定値を表示することと、からなる。
【００１５】
第２の発明では、前記足載せ部の傾斜した面の水平面に対する角度を２０〜４０°の範囲で調節し、足載せ台の高さを調節して測定するようにした。また、第３の発明では、足を前記台部上に載せる際に、前記台部上に配設された突条部に足指基部が当接し足指付け根が該突条部の上側に載るようにして足の位置合わせを行い、前記足保持部材により足指に余分な負荷が加わらない程度の締付け力で足を保持固定するようにした。
【００１６】
第４の発明では、少なくとも足指より後方の足の部分を載せる足載せ部と足指が当たる位置において足指の押圧力の測定手段を含む測定部とを有する台部と、前記測定手段による測定値を表示する表示手段とを備え、前記台部の足載せ部の上面が水平面に対して傾斜しており、前記足載せ部は測定時に足を載せ足指基部と踵との部分を前記足載せ部に当接させた状態で足を前記足載せ部に保持固定するための足保持部材を備えていることとした。
【００１７】
第５の発明では、前記測定部において足指の当たる面が前記足載せ部の上面と同一平面上にあることとした。第６の発明では、前記測定部における足指の当たる面の高さを調節可能にした。第７の発明では、前記足載せ部が水平面に対して２０〜４０度の範囲内の角度で傾斜していることとした。
【００１８】
第８の発明では、前記足載せ部の傾斜角度を２０〜４０度の範囲で調節可能にした。第９の発明では、少なくとも足指より後方の足の部分を載せる足載せ部と足指が当たる位置において足指の押圧力の測定手段を含む測定部とを有する台部と、前記測定手段による測定値を表示する表示手段とを備え、前記台部の足載せ部の上面が水平面に対して傾斜しており、前記足載せ部は測定時に足を載せ足指基部と踵との部分を前記足載せ部に当接させた状態で足を前記足載せ部に保持固定するためのベルト状の足保持部材を備え、前記足載せ部の前方の位置において、足を載せた時に足指付け根の下側となる位置に突条部を設けたこととした。
【００１９】
第１０の発明では、前記測定部の測定手段が圧電型の押圧力測定手段であることとした。第１１の発明では、前記測定部の測定手段が圧電型の押圧力測定手段であり、前記表示手段がケーブルを介して前記圧電型の押圧力測定手段に接続されていることとした。第１２の発明では、前記測定部の測定手段がばねを用いた機械式の測定手段であることとした。
【発明の効果】
【００２０】
本発明の足指屈筋力の測定装置では、足指以外の足の部分を足載せ部に保持固定し、足指に体重が加わらない状態で足底方向への足指の屈筋力を正確に測定でき、繰り返し測定しても、ばらつきが少なく、再現性のよい測定が可能になる。また、このように測定された足指屈筋力のデータは歩行、立位姿勢保持能力を示す指標として有効であり、一般成人、高齢者、足指を大きく曲げることのできない者等、広い範囲の被検者について、歩行を中心とした運動機能予測が可能になり、個人集団を対象とした健康づくり、介護予防に活用できる。
【発明を実施するための最良の形態】
【００２１】
図１は、本発明による足指屈筋力の測定装置の実施形態を示すものであり、足指屈筋力の測定装置１は台部２を備えており、台部２の上側の面は、足指屈筋力を測定する際に足指より後方の足の部分を載せる足載せ部３を有するとともに、それより前方で足指が当たる位置に測定部４が配設されている。足載せ部３の面は水平方向に対して傾斜しており、測定部４において足指が当接する部分の面も実質的に足載せ部３と同様の傾斜した面になっている。また、台部２は足指屈筋力の測定値を表示する表示部５と、測定の際に足指より後方の足の部分を保持固定する足保持部材６を有している。
【００２２】
台部２は測定時に足を載せた場合に足を支えるのに十分な強度を有する材料により形成し、上側の面は、被検者が椅子に座った状態で片足をこの面に載せて足指より後方の部分を足保持部材で保持固定した時に足指に余分な負荷が係らずに自然な状態で足指を上下動させられるように、水平方面に対してある２０〜４０度程度の角度だけ傾斜しているのがよく、標準的には３０度程度の傾斜角が好ましい。また、台部２の足載せ部３の表面は足を載せた時に滑り易くならないように、表面に軟質のゴムシート等を貼り付けるのがよい。
【００２３】
足載せ部３に足を載せた時に、足の底面のうち足指基部（楔状骨突起と中足骨底部にあたる）と踵の部分とが足載せ部３に当接することになり、この状態で足を台部２の足載せ部３上に保持固定するために足保持部材６が設けられる。測定対象となる足の形状、大きさは、年齢、性別、個人差によりさまざまであり、測定時に種々の大きさ、形状の足を足載せ部３上に適切に保持固定するために、足保持部材６は調節可能なベルト状のものがよく、足の着脱を容易にするということからすれば、ベルベット式ファスナーのような固定手段を用いれば、取り外し、足の保持固定力の調節が容易になる。足保持部材としてのベルトは足指基部と踵との部分とで足を足載せ部３に確実に固定するためのものであり、個人差により多様な大きさ、形状に適応して足を足載せ部に保持固定できるようにするための柔軟性、伸縮性、強度を有する布製、合成樹脂製、あるいはそれらの複合材料で形成されるのがよい。図示のものでは、足保持部材６は足指基底部と踵の部分との２本のベルトとして単純化して示してあるが、さらにベルトを分岐させた形状にし踵の後側を含めて包み込むような形状とすることにより、足を台部に自然な状態で保持固定することができる。このように、足保持部材６で足により足を足載せ部３上に適度な締付け力になるように保持固定することにより、足指に余分な力が加わらない状態が実現できる。足載せ部３に軟質のゴムシート等を張り付けてある場合、特にそのクッション性と滑り止めの作用が加わり、良好に足を保持固定できる。
【００２４】
足指は一般的に自然な状態で上側にやや湾曲しており、足を台部２に載せた状態で足指付けの下側に若干の空間が生じる。そこで、台部２上にこの足指付け根の下側の空間に合わせた形状の突条部７を形成しておくのがよい。この突条部７は、足載せ部３に足を載せる際に、足指付け根がその上側に載るようにして足指基部の下側をこの突条部７に合わせ、足の位置を定め易くするためのものである。
【００２５】
図２は台部２を上方から見たものであり、一般的に右足の形状としては、足指付け根の下側の空間は、第２指近辺がピークになるような湾曲形状であり、突条部７はそのような形状に合わせるのがよい。ただし、この足指付け根の形状も個人差があるので、標準的な足の形状に合わせたものとし、突条部７が高過ぎると足指の押圧作用に影響するので、やや低めにするのがよい。材質としては、ゴム等である程度変形し得るものとし、両側部は丸みをもたせる。それでも、現実に突条部７に足指付け根の下側の空間の形状が適合しないことも生じ得るので、突条部７を着脱可能に取り付けておくようにしてもよい。
このような台部２の上面に足を載せ、ベルト等の足保持部材６により足を足載せ部３に適切な締め付け力で保持固定した際に、体重が踵から足指基部に全て集中して、足指は体重が加わらずに自由に動かせるようになる。
【００２６】
測定部４は足指を当てて屈筋力を測定する測定手段を備えており、測定手段は足指より後方の足の部分を足載せ部３に載せた状態で足指が当たる位置に設けられ、足指が当たる部分は基本的には足載せ部３と同じ平面上にあるようにし、また図２のように、足指の当たる位置は湾曲形状になるので、測定手段としても足指の当たる位置を包含する湾曲した形状とするのがよい。このように測定部４の足指が当たる載る部分を足載せ部３と同じ平面上とすることにより、標準的な状況では、足を足載せ部３に載せて保持固定した状態で足指の屈筋力を正確に測定できるのであるが、足指の形状にも個人差があり得るので、それに対応し得るようにするためには、測定部４における足指の当たる位置の高低を若干調節できるようにしてもよい。
【００２７】
足指の屈筋力の測定手段は、足指を下方に押し下げる時の押圧力を測定するものであり、ばねによる機械式のものや、圧電式のもの等従来公知のものを用いることができる。
【００２８】
表示部５は、測定された足指の屈筋力の大きさを表示する部分であるが、検査者が見易いようにすることが望ましく、測定部４に近接した位置で表示面が水平になるような形態としてもよい。あるいは、圧電式等の測定手段の場合に、測定手段の出力データをケーブルで取り出し、台部２から離れた位置の表示部で読み取れるようにしてもよい。
【００２９】
被検者が椅子に座った状態で台部に片足を載せて足指の屈筋力を測定するようにした場合、台部２の上面が図１のように傾斜したものとするのが適切であり、傾斜角度は２０〜４０°の範囲で、一般的には３０°程度が好ましい。この角度は、測定装置として固定したものでは変えられないことになるが、実際に使用する場合に、椅子の高さと、被検者の足の長さ等の関係から、あるいは個人的に資質により、角度をある程度変えて測定するのが望ましいことが生じ得る。そのために、台部２の足載せ部３の部分の傾斜角度を調節可能にすることも考えられる。
【００３０】
足載せ部３の傾斜角度を調節可能にする例を図３（ａ）、（ｂ）に示す。図３（ａ）は台部２の内部を示しており、測定部、足保持部材等は省いてある。足載せ部３はヒンジ９により台部２の底板１０に回動可能に取り付けられており、足載せ部３と台部２の側板（図示していない）に枢支された軸１２に取り付けられた偏心カム１１のカム面上に載っており、軸１２は台部２の側板の外側まで延びていて、端側にレバー等の把持部材（図示せず）が取り付けられている。足載せ部３は自重で偏心カム１１に当接するのでもよいが、ばねによりカムに当接するように付勢力を与えてもよい。このようにして、足載せ部３は偏心カム１１のカム面上に載った状態で支持されている。把持部材は台部の側板に対向する側にピンを設けてあり、軸１２が回転した時のピンの通る複数の箇所において台部２の側板にピンが入り込む穴を設けておく。把持部材を回転させることにより偏心カム１１を回転させて足載せ部の傾斜角度を調節し、適当な角度位置において把持部材のピンを台部２の側板の穴に挿入して固定する。そのために、軸１２はその軸心方向に変位可能に設けるか、把持部材を折り畳み可能なものとしておく。角度の調節の範囲は偏心カムの形状によるものとなり、前述したように２０〜４０°の範囲で調節するのが好ましい。
【００３１】
図３（ｂ）は足載せ部３の傾斜角度を調節する他の例を示すものであり、足載せ部３は図３（ａ）の場合と同様にヒンジ９により台部２の底板１０に回動可能に取り付けられており、底板１０と足載せ部３との間に傾斜角に相当する角度を有する楔状ブロック１３が挿入されている。足載せ部３は自重またはばね付勢力により楔状ブロック１３に当接してその傾斜角度が規定される。角度の異なる複数の楔状ブロックを用意しておき、楔状ブロックを入れ代えることにより、足載せ部３の傾斜角度が調節される。
【００３２】
図４は、測定部の測定手段として、機械式の握力計として用いられるような筋力計４Ａを用いて簡易に足指の屈筋力の測定装置を構成した例であり、他の部分は図１と同様であって、同じ符号で示してある。既存の筋力計を用いる場合、押圧力を付加する部分は一般的に直線状であり、湾曲していないため、図２における足指の当たる位置にある測定手段の湾曲形状の平均的な傾斜位置に配設することになる。表示部は筋力計４Ａに備えられているものであるから、水平面内にはないため、見やすさの点では難点があるが、既存の握力用の筋力計のような測定装置を利用して簡易に構成できるという利点がある。この測定装置では、筋力計４Ａの足指が当たる作動部８の上面が台部２の足載せ部３の上面と同一平面上にあるようにするのがよいが、足指形状の個人差に対応するためには、同一水平面上の位置を基準として若干上下に高さを調節可能にしてもよい。
【００３３】
以上のように、本発明では、歩行、立位姿勢保持の能力を把握することを意図して、この能力に的確に対応するものとして、足底方向（足底面に垂直な方向）への足指の筋力を測定するものであり、その際体重の付加が生じないように、足載せ部となる台部の上面を水平面に対して傾斜したものとしているが、このような形態をとることの意義について説明する。
【００３４】
（Ａ）足底方向（足底面に垂直な方向）での足指の筋力の作用を測定することについて：
先行技術において、足底面内の方向での足指の筋力の作用を測定するものがあり、その場合の足指の力の作用を模式的に示すと図５（ａ）のようになる。本発明は、図５（ｂ）に示すように、足底面に垂直な方向での足指の筋力の作用を測定するものである。先行技術の場合に対して、本発明では次のような有利な点がある。図５（ａ）と図５（ｂ）で実線の矢印は足指が作用させる力を示し、破線の矢印は測定する力を表している。
【００３５】
１）足底面に垂直な方向での筋力を測定するため、足底面内の方向の場合に比較して、より実際に近い立位姿勢の保持や歩行などの運動機能を直接測定するものとなる。水平方向の体重の動きは足関節を支点にして足底の前方に伝わり、本発明の測定装置により測定される足底面に垂直方向の筋力がまさにその調節を担うものである。歩行における「ヒールイン・トゥアウト」においても同様のことが言える。
【００３６】
２）踵骨−中足骨関節が伸展している状態での屈曲力を測定するために、動関節の可動域の小さい（足指を大きく曲げることのできない）被検者も検査に適応でき、測定値を正確に得ることができる。同関節は慢性関節リウマチ、痛風結節、糖尿病性神経症といった可動域制限をきたすような疾患の好発部位である。
【００３７】
（Ｂ）台部を傾斜させたことについて：
足底近傍の足指の筋力を測定するため、体重の影響がかかわることが考えられる。先行技術における足指に関連した筋力測定の多くは座位で測定されるものであるが、座位だけでは体重の１０％以上を占める下肢の重さを回避するのは困難である。特に本発明では、重力方向の筋力ベクトルを測定するために足底を載せる台部の上面を水平面に対して２０〜４０度傾斜させる（図６）。このように足底を載せる台部の上面を傾斜させ、足指より後方の部分を固定手段で台部の上面に固定することにより、下肢の重さは足指より後方の部分で台部の上面に加わり、足指には下肢の重さが加わらず、足底面に垂直な方向での足指の筋力の作用がより正確に測定できる良好な測定状態が得られ、測定値の再現性が向上する。
【図面の簡単な説明】
【００３８】
【図１】本発明による足指屈筋力の測定装置の一実施形態を示す図である。
【図２】図１の測定装置を上方から見た図である。
【図３】（ａ）足載せ部の傾斜角度を調節可能にした場合の構成の例を示す図である。（ｂ）足載せ部の傾斜角度を調節可能にした場合の他の構成の例を示す図である。
【図４】本発明の足指屈筋力の測定装置において、機械式の測定手段を用いた簡素な構成の例を示す図である。
【図５】（ａ）先行技術における足把持力を測定する場合の足指の力の作用を示す図である。（ｂ）本発明により足指屈筋力を測定する場合の足指の力の作用を示す図である。
【図６】本発明により足載せ部を傾斜させた状態を示す図である。
【符号の説明】
【００３９】
１    足指屈筋力の測定装置
２    台部
３    足載せ部
４    測定部
４Ａ  筋力計
５    表示部
６    足保持部材
７    突起部
８    作動部
【図１】
2007044495.tif 000003
【図２】
2007044495.tif 000004
【図３】
2007044495.tif 000005
【図４】
2007044495.tif 000006
【図５】
2007044495.tif 000007
【図６】
2007044495.tif 000008